(57)【要約】【課題】不揮発性記録装置の放熱効率を高めることができる電子機器を提供する。【解決手段】デジタルカメラ１は、収容ユニット３０を有する。収容ユニット３０は、メモリカード１７０を収容するための収容空間Ｓと、メモリカード１７０を挿入方向に挿入可能に配置された挿入口１０３と、収容空間Ｓを外部と連通可能に配置された少なくとも一つの孔１０２と、を有している。【選択図】図７
2011257697.tif 000002
【特許請求の範囲】
【請求項１】
不揮発性記録装置を収容するための収容空間と、前記不揮発性記録装置を挿入可能に配置された挿入口と、前記収容空間を外部と連通可能に配置された少なくとも一つの孔と、を有する収容ユニットを備えた、
電子機器。
【請求項２】
前記収容ユニットに支持され、第１状態および第２状態をとり得る蓋部材をさらに備え、
前記第１状態では、前記蓋部材が前記孔を覆っており、
前記第２状態では、前記収容空間が前記孔を介して外部と連通している、
請求項１に記載の電子機器。
【請求項３】
前記不揮発性記録装置と当接可能に配置され、前記不揮発性記録装置の前記収容ユニットへの挿入に伴って移動する当接部材をさらに備え、
前記蓋部材は、前記当接部材に連動するように配置されており、前記不揮発性記録装置が前記収容ユニットに挿入されていない場合には前記第１状態をとり、前記不揮発性記録装置が前記収容ユニットに挿入された場合には前記第２状態をとる、
請求項２に記載の電子機器。
【請求項４】
前記第１状態での前記蓋部材の位置は、前記第２状態での前記蓋部材の位置よりも前記挿入口に近い、
請求項２または３に記載の電子機器。
【請求項５】
前記収容ユニットは、前記不揮発性記録装置を支持可能に配置され前記収容空間を形成するホルダーと、前記ホルダーを収容するケースと、を有し、
前記蓋部材は、前記ケースおよび前記ホルダーの少なくともいずれか一方により、前記不揮発性記録装置が挿入される第１方向に移動可能に支持されている、
請求項２から４のいずれかに記載の電子機器。
【請求項６】
前記蓋部材の少なくとも一部は、前記第１状態で前記収容空間内に配置されている、
請求項２から５のいずれかに記載の電子機器。
【請求項７】
前記当接部材は、前記蓋部材と一体移動可能に設けられ、前記不揮発性記録装置と前記第１方向に当接可能な位置に配置されている、
請求項５または６に記載の電子機器。
【請求項８】
前記蓋部材と前記収容ユニットとを弾性的に連結する弾性部材をさらに備える、
請求項２から７のいずれかに記載の電子機器。
【請求項９】
前記弾性部材は、前記蓋部材が前記挿入口に近づくように前記蓋部材に弾性力を付与している、
請求項８に記載の電子機器。
【請求項１０】
前記弾性部材は、前記蓋部材を前記第１状態で保持している、
請求項８または９に記載の電子機器。
【請求項１１】
前記不揮発性記録装置が前記収容空間に収容されている場合に、前記不揮発性記録装置により前記蓋部材が前記第２状態に保持されており、かつ、前記不揮発性記録装置が前記孔を覆っている、
請求項２から１０のいずれかに記載の電子機器。
【請求項１２】
前記不揮発性記録装置と電気的に接続可能に配置された基板をさらに備え、
前記ホルダーは、前記基板と前記孔との間に配置されている、
請求項５から１１のいずれかに記載の電子機器。
【請求項１３】
不揮発性記録装置を装着可能な電子機器であって、
前記不揮発性記録装置を支持可能に配置されたホルダーと、
前記不揮発性記録装置を挿入可能に配置された挿入口と、装着された前記不揮発性記録装置を外部に露出可能に配置された少なくとも一つの孔と、を有するケースと、
を備えた電子機器。
【発明の詳細な説明】
【技術分野】
【０００１】
本発明は、不揮発性記録装置を装着可能な電子機器に関する。
【背景技術】
【０００２】
デジタルカメラ、ビデオカメラおよびデジタルテレビ等の映像装置には、データを記録または再生するための不揮発性記録装置として、ＳＤ（Secure Digital）カード等のメモリカードが装着可能なホルダーが設けられているものがある。このようなホルダーは、映像装置以外にも、コンピュータおよびプリンタ等の多くの電子機器に設けられている。
【０００３】
メモリカードが装着可能な電子機器として、例えば交換レンズ式のデジタルカメラが知られている（例えば、特許文献１参照）。特許文献１に記載された交換レンズ式のデジタルカメラは、メモリカードを接続可能なカードＩ／Ｆ（interface）を備えている。このデジタルカメラでは、画像データや動画データ等をカードＩ／Ｆを介してメモリカードに記録することができる。
【先行技術文献】
【特許文献】
【０００４】
【特許文献１】特開２００７−３２２９８５号公報
【発明の概要】
【発明が解決しようとする課題】
【０００５】
このようなメモリカードは、撮像装置などの大容量のデータを扱う電子機器に用いられるため、扱うデータ量の増加に伴い記憶容量の増加およびデータの転送速度の高速化が求められている。例えば、ＳＤカードの場合、現在のところ、最大容量が３２ＧＢまでのＳＤＨＣに加えて最大容量が２ＴＢまでのＳＤＸＣの規格が規定されている。
【０００６】
その一方で、不揮発性記録装置へ記録するデータ量や単位時間当たりに記録するデータ量の増加に伴い、不揮発性記録装置に流れる電流量が増加するので、不揮発性記録装置の発熱量が増加する。不揮発性記録装置で発生した熱が電子機器の内部に滞留すると、不揮発性記録装置が熱による影響を受け破損するおそれがある。
【課題を解決するための手段】
【０００７】
ここに開示される電子機器は、収容ユニットを有している。収容ユニットは、不揮発性記録装置を収容するための収容空間と、不揮発性記録装置を挿入可能に配置された挿入口と、収容空間を外部と連通可能に配置された少なくとも一つの孔と、を有する。
【０００８】
この電子機器では、電子機器に装着された不揮発性記録装置から熱が発生した場合に、孔を通じて熱が効率良くケースの外部へ放熱される。
【発明の効果】
【０００９】
以上のように、この電子機器によれば、不揮発性記録装置の放熱効率を高めることができる。
【図面の簡単な説明】
【００１０】
【図１】デジタルカメラ１の斜視図。
【図２】デジタルカメラ１のブロック図。
【図３】デジタルカメラ１の概略断面図。
【図４】デジタルカメラ１の背面図（カメラモニタ１２０が閉じた状態）。
【図５】デジタルカメラ１の背面図（カメラモニタ１２０が開いた状態）。
【図６】（Ａ）メモリカード１７０および装着部３００の平面図（メモリカード１７０がホルダー３１０に挿入されていない状態）。（Ｂ）メモリカード１７０および装着部３００の平面図（メモリカード１７０がホルダー３１０に挿入された状態）。
【図７】（Ａ）図１のVII−VII部分断面図（メモリカード１７０が装着されていない状態）。（Ｂ）図１のVII−VII部分断面図（メモリカード１７０が装着されている状態）。
【図８】（Ａ）図６（Ａ）のVIIIＡ−VIIIＡ断面図。（Ｂ）図６（Ｂ）のVIIIＢ−VIIIＢ断面図。
【図９】（Ａ）メモリカード１７０および装着部４００の平面図（メモリカード１７０がホルダー４１０に挿入されていない状態）。（Ｂ）メモリカード１７０および装着部４００の平面図（メモリカード１７０がホルダー４１０に挿入された状態）。
【図１０】（Ａ）デジタルカメラ２（第２実施形態）に係る、図７（Ａ）に相当する図。（Ｂ）デジタルカメラ２に係る、図７（Ｂ）に相当する図。
【図１１】（Ａ）図９（Ａ）のXIＡ−XIＡ断面図。（Ｂ）図９（Ｂ）のXIＢ−XIＢ断面図。
【発明を実施するための形態】
【００１１】
〔第１実施形態〕
＜１．１：デジタルカメラの構成＞
図１は、第１実施形態に係るデジタルカメラ１（電子機器の一例）の斜視図である。図２は、デジタルカメラ１の機能ブロック図である。図３は、デジタルカメラ１の概略断面図である。
【００１２】
デジタルカメラ１は、被写体の画像を取得するための交換レンズ式のデジタルカメラであり、カメラ本体１００と、カメラ本体１００に装着可能なレンズユニット２００と、を備えている。
【００１３】
一眼レフレックスカメラとは異なり、カメラ本体１００は、ミラーボックス装置を有していないので、従来の一眼レフレックスカメラに比してフランジバックが小さい。また、フランジバックを小さくすることで、カメラ本体１００が小型化されている。さらに、フランジバックを小さくすることで、光学系の設計の自由度が高まるので、レンズユニット２００は小型化されている。以下、各部の詳細について説明する。
【００１４】
なお、説明の便宜のため、デジタルカメラ１の被写体側を前、撮像面側を後ろまたは背、デジタルカメラ１の通常姿勢（以下、横撮り姿勢ともいう）における鉛直上側を上もしくは上側、鉛直下側を下もしくは下側ともいう。
【００１５】
ここで横撮り姿勢とは、横長の長方形である画像の長辺に平行な方向が画像内での被写体の水平方向と一致し、かつ、画像の短辺に平行な方向が画像内での被写体の鉛直方向と一致する場合に、レリーズ釦１３１（図１）が撮影時に押される方向が鉛直下向きと概ね一致する姿勢をいう。
【００１６】
また、デジタルカメラ１の横撮り姿勢において被写体と反対側からデジタルカメラ１を見た場合の右側を右もしくは右側という。同様に、デジタルカメラ１の横撮り姿勢において被写体と反対側からデジタルカメラ１を見た場合の左側を左もしくは左側という。
【００１７】
さらに、デジタルカメラ１の横撮り姿勢での鉛直方向を上下方向という。同様に、デジタルカメラ１の横撮り姿勢での左右の方向を左右方向という。また、上下方向および左右方向に垂直な方向は前後方向と一致しており、被写体を向く方向を前方向といい、前方向と逆向きを後ろ方向という。
【００１８】
なお、以下では、図１に示すように３次元座標軸を設定する。図１では、Ｘ軸方向は前後方向と一致し、Ｙ軸方向は左右方向と一致し、Ｚ軸方向は上下方向と一致している。また、図１以外の図面に記載されている座標軸は、図１に設定した３次元座標軸に基づいている。
【００１９】
カメラ本体１００は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１７５と、装着部３００と、電子ビューファインダー１８０と、シャッターユニット１９０と、メインフレーム１５４と、支持具取付部１５５と、ケース１０１と、を備えている。
【００２０】
ケース１０１は、カメラ本体１００の形体を保持する部材であり、その一部はカメラ本体１００の外面を形成している。ケース１０１は、ケース底面部１０１ａと、ケース前面部１０１ｂと、ケース側面部１０１ｃと、ケース背面部１０１ｄと、を含んでいる。ケース底面部１０１ａは横撮り姿勢においてＣＭＯＳイメージセンサー１１０の下側に配置され、ケース前面部１０１ｂは被写体側に配置される。ケース側面部１０１ｃは、横撮り姿勢においてＣＭＯＳイメージセンサー１１０の側方に配置されている。ケース背面部１０１ｄは、横撮り姿勢においてＣＭＯＳイメージセンサー１１０の後ろ側に配置されている。
【００２１】
図１に示すように、ケース側面部１０１ｃには、メモリカード１７０を挿入するための長方形状の挿入口１０３が設けられている。挿入口１０３は、メモリカード１７０の形状に合わせて形成されており、本実施形態では上下方向（Ｚ軸方向）に長い長方形である。
【００２２】
ケース側面部１０１ｃは、挿入口１０３を覆うことが出来るように設けられたカバー１０４を有している。カバー１０４は、ヒンジを介してケース側面部１０１ｃに連結されており、ヒンジの周りに回転することにより閉状態と開状態とをとることができる。カバー１０４が開状態にある場合には、挿入口１０３がデジタルカメラ１の外部に露出している。カバー１０４が閉状態にある場合には、挿入口１０３は、カバー１０４に覆われており、デジタルカメラ１の外側からは見えない状態となっている。
【００２３】
図５に示すように、ケース背面部１０１ｄには、ホルダー３１０（後述）に対応する位置に孔１０２が形成されている。孔１０２は、概ね前後方向（Ｘ軸方向）にそってケース背面部１０１ｄを貫通している。本実施形態では、孔１０２はスリット状に複数形成されている。図５はカメラモニタ１２０が開いた状態を示しており、ケース背面部１０１ｄが露出している。一方で、図４に示すようにカメラモニタ１２０が閉じた状態では、孔１０２はカメラモニタ１２０に覆われている。このとき、図６（Ａ）に示すように、カメラモニタ１２０とケース背面部１０１ｄとの間には隙間１０５が確保されている。
【００２４】
カメラ本体１００には、前から順に、ボディマウント１５０、シャッターユニット１９０、ＣＭＯＳイメージセンサー１１０、ＣＭＯＳ回路基板１１３、メイン回路基板１４２、カメラモニタ１２０が配置されている。
【００２５】
ＣＭＯＳイメージセンサー１１０は、レンズユニット２００を介して入射される被写体の光学像（以下、被写体象ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。なおＣＭＯＳ回路基板１１３の機能はＣＭＯＳイメージセンサー１１０、もしくはメイン回路基板１４２に含まれていてもよい。
【００２６】
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御により、静止画データおよび動画データの取得を行う
ＣＭＯＳイメージセンサー１１０は、記録用として用いられる高解像度の動画像の取得が可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。このように、撮像素子は画像を表す電気信号を生成する電子部品であり、ＣＭＯＳイメージセンサー１１０の他に、ＣＣＤイメージセンサー等の光電変換素子を含む概念である。
【００２７】
ＣＭＯＳ回路基板１１３は、ＣＭＯＳイメージセンサー１１０を制御する回路基板である。また、ＣＭＯＳ回路基板１１３は、ＣＭＯＳイメージセンサー１１０から出力される画像データに所定の処理を施す回路基板である。ＣＭＯＳ回路基板１１３は、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００２８】
カメラモニタ１２０は、例えば液晶ディスプレイであり、表示用画像データが示す画像等を表示する。表示用画像データは、カメラコントローラー１４０で生成される。表示用画像データは、例えば、画像処理された画像データや、デジタルカメラ１の撮影条件、操作メニュー等を画像として表示するためのデータである。カメラモニタ１２０は、動画像も静止画像も選択的に表示可能である。
【００２９】
カメラモニタ１２０は、カメラ本体１００に設けられている。本実施形態では、カメラ本体１００のケース背面部１０１ｄに配置されている。カメラ本体１００に対するカメラモニタ１２０の表示面の角度は、変更可能である。具体的には図４に示すように、カメラ本体１００は、カメラモニタ１２０をケース１０１に対して回転可能に連結するヒンジ１２１を有している。ヒンジ１２１は、ケース１０１の左端に配置されている。より詳細には、ヒンジ１２１は、第１のヒンジと第２のヒンジとを有している。第１のヒンジを中心に、カメラモニタ１２０はケース１０１に対して左右方向に回転可能であり、第２のヒンジを中心に、ケース１０１に対して上下方向にも回転可能である。
【００３０】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、カメラモニタ１２０は、カメラ本体１００のケース背面部１０１ｄでなく、ケース側面部１０１ｃや上面等、他の場所に設けられてもよい。
【００３１】
電子ビューファインダー（以下、ＥＶＦともいう）１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００３２】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
【００３３】
操作部１３０は、ユーザーによる操作を受け付ける。具体的には図１に示すように、操作部１３０は、ユーザーによるシャッター操作を受け付けるレリーズ釦１３１と、カメラ本体１００の上面に設けられた回転式のダイアルスイッチである電源スイッチ１３２と、を含む。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００３４】
カメラコントローラー１４０は、カメラ本体１００の中枢を司るデバイスであって、カメラ本体１００の各部を制御する。例えば、カメラコントローラー１４０は、操作部１３０からの指示を受け付け、画像データを取得するための各種の制御を行なう。カメラコントローラー１４０は、レンズユニット２００を制御するための信号を、ボディマウント１５０およびレンズマウント２５０を介して、レンズコントローラー２４０に送信し、レンズユニット２００の各部を間接的に制御する。すなわち、カメラコントローラー１４０は、デジタルカメラ１全体を制御する。
【００３５】
また、カメラコントローラー１４０は、ボディマウント１５０およびレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部（もしくはボディマイコン）の一例である。カメラコントローラー１４０は、メイン回路基板１４２上に配置されている。
【００３６】
図６（Ａ）から図８（Ｂ）に示すように、装着部３００は、メモリカード１７０を装着するためのユニットであり、ホルダー３１０と、スライド蓋３２０と、当接部材３２２と、接続端子３３０と、戻しバネ３４０と、を有している。
【００３７】
ホルダー３１０は、メモリカード１７０の挿入される方向（第１方向の一例、以下、挿入方向という）に長く延びた直方体形状に形成されており、メイン回路基板１４２（基板の一例）とケース背面部１０１ｄとの間に配置されている。ホルダー３１０およびケース１０１により、収容ユニット３０が形成されている。本実施形態では、ホルダー３１０はメイン回路基板１４２に固定されている。なお、本実施形態では、挿入方向はデジタルカメラ１の左右方向（Ｙ軸方向）と一致しており、メモリカード１７０はデジタルカメラ１に対してＹ軸負方向に挿入される。
【００３８】
ホルダー３１０は、基板側部分３１１と、ケース側部分３１２と、バネ連結部３１３と、ガイド部３１４と、板バネ３１５と、バネ留め具３１６と、を有している。基板側部分３１１と、ケース側部分３１２と、バネ連結部３１３と、ガイド部３１４と、により、メモリカード１７０が収容される収容空間Ｓが形成されている。図８（Ａ）に示すように、挿入方向から見た場合に、基板側部分３１１と、ケース側部分３１２と、ガイド部３１４とにより収容空間Ｓは囲われている。また、ホルダー３１０には、メモリカード１７０を挿入するための入口部３１０ａが形成されている。バネ連結部３１３はホルダー３１０の入口部３１０ａとは反対側に配置されている。
【００３９】
入口部３１０ａは、挿入方向から見た場合に、ケース側面部１０１ｃに設けられた挿入口１０３と重なる位置に設けられている。つまり、ホルダー３１０は挿入口１０３からホルダー３１０にメモリカード１７０を挿入できるように配置されている。
【００４０】
基板側部分３１１は、例えば合成樹脂で形成されており、メイン回路基板１４２上に固定されている。基板側部分３１１には通し穴３１１ａが設けられている。接続端子３３０は基板側部分３１１に設けられた通し穴３１１ａから収容空間Ｓに露出しているので、メモリカード１７０がホルダー３１０に挿入された状態では、メモリカード１７０の信号ピン１７２が接続端子３３０に接触することができる。
【００４１】
１対のガイド部３１４は、基板側部分３１１から突出しており、メモリカード１７０およびスライド蓋３２０を挿入方向に移動可能に案内する。ガイド部３１４は挿入方向に長く延びている。図８（Ａ）および図８（Ｂ）に示すように、ガイド部３１４はＺ軸方向に対向して配置されている。各ガイド部３１４は、溝３１４ａと、Ｚ軸方向を向く内面３１４ｂと、を有している。溝３１４ａおよび内面３１４ｂは、挿入方向に沿って延びている。溝３１４ａはスライド蓋３２０を挿入方向に案内する。内面３１４ｂはメモリカード１７０を挿入方向に案内することができる。メモリカード１７０がホルダー３１０に挿入された状態では、メモリカード１７０はガイド部３１４の間に配置される。ガイド部３１４は、例えば、合成樹脂などにより基板側部分３１１と一体形成されている。
【００４２】
ケース側部分３１２は、ケース背面部１０１ｄの内側に沿って配置されており、開口３１２ａを有している。図６（Ａ）に示すように、ホルダー３１０は、孔１０２の貫通する方向から見た場合に孔１０２が開口３１２ａの内側に含まれるように配置されている。ケース側部分３１２は、例えば、ステンレス合金の薄板で形成されており、ガイド部３１４に固定されている。
【００４３】
バネ連結部３１３には、バネ留め具３１６が固定されており、窓３１３ａが形成されている。バネ連結部３１３は、例えば、合成樹脂などにより形成され基板側部分３１１に固定されている。バネ留め具３１６は、バネ連結部３１３に戻しバネ３４０を連結している。窓３１３ａにはスライド蓋３２０が挿入されている。
【００４４】
板バネ３１５は、メイン回路基板１４２に固定されている。板バネ３１５は、メモリカード１７０がホルダー３１０に挿入された場合に、メモリカード１７０をケース側部分３１２に押し付ける。
【００４５】
接続端子３３０は、基板側部分３１１に固定された複数の端子であり、メイン回路基板１４２に接続されている。接続端子３３０は、メモリカード１７０の信号ピン１７２の位置に対応して設けられている。つまり、メモリカード１７０がホルダー３１０に完全に挿入されると、信号ピン１７２と接続端子３３０とが接触する。
【００４６】
スライド蓋３２０（蓋部材の一例）は、ホルダー３１０により挿入方向に移動可能に支持されており、メモリカード１７０と挿入方向に当接可能に配置されている。具体的には、スライド蓋３２０は、概ね長方形である板状の蓋本体３２１と、戻しバネ３４０を蓋本体３２１に連結するためのバネ留め具３２３と、を有している。
【００４７】
蓋本体３２１は１対のガイド部３１４により挿入方向に移動可能に支持されている。具体的には図８（Ａ）に示すように、蓋本体３２１は、ホルダー３１０のガイド部３１４に設けられた溝３１４ａに嵌め込まれており、ホルダー３１０のケース側部分３１２に密接している。スライド蓋３２０は、蓋本体３２１が溝３１４ａに案内されることにより、挿入方向に移動することができる。
【００４８】
当接部材３２２は、例えば蓋本体３２１と一体形成されており、メモリカード１７０が当接可能である。当接部材３２２は蓋本体３２１の挿入口１０３側の端からメイン回路基板１４２側へ延びている。当接部材３２２の大きさは、挿入方向から見た場合に入口部３１０ａよりも小さくなるように設定されている。メモリカード１７０が挿入口１０３より挿入される際に、メモリカード１７０が当接部材３２２と当接する位置に当接部材３２２は配置されている。バネ留め具３２３は、蓋本体３２１の当接部材３２２とは反対側の端に固定されている。
【００４９】
スライド蓋３２０の一部はホルダー３１０の内部（より詳細には、収容空間Ｓ内）に配置されている。具体的には図７（Ａ）に示すように、スライド蓋３２０はホルダー３１０を挿入方向に貫通している。メモリカード１７０がホルダー３１０に挿入されていない状態では、スライド蓋３２０の当接部材３２２の固定されている部分は入口部３１０ａから突き出しており、スライド蓋３２０のバネ留め具３１６の固定された部分は窓３１３ａから突き出している。
【００５０】
図６（Ａ）および図７（Ａ）は、メモリカード１７０がホルダー３１０に挿入されていない場合のスライド蓋３２０の状態（第１状態の一例）を示している。第１状態では、スライド蓋３２０は挿入方向に最も挿入口１０３に近づいた位置にある。このとき、蓋本体３２１は、孔１０２の貫通する方向から見て、孔１０２の全体および開口３１２ａの全体と重なる位置に配置されている。したがって、第１状態では、スライド蓋３２０が孔１０２を覆っている。また、第１状態では、スライド蓋３２０は収容空間Ｓ内に配置されている。
【００５１】
図６（Ｂ）および図７（Ｂ）は、メモリカード１７０がホルダー３１０に挿入された場合のスライド蓋３２０の状態（第２状態の一例）を示している。第２状態では、スライド蓋３２０は挿入口１０３から挿入方向に最も離れた位置にある。第１状態でのスライド蓋３２０の位置が第２状態でのスライド蓋３２０の位置よりも挿入口１０３に近い、ということもできる。第２状態では、蓋本体３２１は、孔１０２の貫通する方向から見て、孔１０２および開口３１２ａとはずれた位置にあり、孔１０２および開口３１２ａのいずれとも重なっていない。したがって、第２状態では、収容空間Ｓが孔１０２を介して外部と連通している。
【００５２】
なお、図６（Ａ）および図６（Ｂ）では、孔１０２が一点鎖線で示されている。
【００５３】
戻しバネ３４０（弾性部材の一例）は、例えば引っ張りバネであり、スライド蓋３２０とホルダー３１０とを弾性的に連結している。戻しバネ３４０の一方の端はホルダー３１０のバネ留め具３１６に固定されており、他方の端はスライド蓋３２０のバネ留め具３２３に接続されている。戻しバネ３４０は、メモリカード１７０が装着されていない場合には、スライド蓋３２０を第１状態に保持している。具体的には、戻しバネ３４０は、スライド蓋３２０が挿入口１０３に近づくようにスライド蓋３２０に弾性力を付与している。
【００５４】
スライド蓋３２０が第１状態にある場合は、戻しバネ３４０は伸びの生じていない自然長の状態にある。一方で、スライド蓋３２０が第２状態にある場合は、バネ留め具３２３がホルダー３１０から離れた位置に移動しているので、戻しバネ３４０に大きな伸びが生じる。その結果、第２状態では、スライド蓋３２０には、スライド蓋３２０を第１状態へ戻そうとする力が戻しバネ３４０から作用している。
【００５５】
なお、一定距離以上に蓋本体３２１が挿入口１０３へ近づくことがないように、蓋本体３２１を止めておくストッパーをケース１０１などに設けてもよい。このようなストッパーを設けることにより、第１状態において戻しバネ３４０が自然長からわずかに延びた状態となるようにしてもよい。
【００５６】
メモリカード１７０（不揮発性記録装置の一例）は、データを記憶するデバイスであり、外装部１７１と、不揮発性メモリ（図示せず）と、不揮発性メモリを制御する制御素子を含む制御基板（図示せず）と、制御基板に形成されメモリカード１７０の外部に露出した複数の信号ピン１７２とを有している。メモリカード１７０は、デジタルカメラ１に装着可能なデバイスであり、例えば、ＳＤカードである。不揮発性メモリは例えばフラッシュメモリである。
【００５７】
外装部１７１は不揮発性メモリおよび制御基板を内部に収容している。また、本実施形態では、メモリカード１７０の全体の形状は板状であり、外装部１７１は厚さ方向（図１のＸ軸方向）に垂直な第１外面１７１ａおよび第２外面１７１ｂを有している。さらに外装部１７１は信号ピン１７２の配置されている側に第１端１７１ｃを有している。第１外面１７１ａ側には、信号ピン１７２が露出している。
【００５８】
メモリカード１７０は、ホルダー３１０に挿入された状態では、信号ピン１７２を介してホルダー３１０に設けられた接続端子３３０と接続している。メモリカード１７０は信号ピン１７２および接続端子３３０を介してデジタルカメラ１との間で信号および電源電圧のうち少なくともいずれか一方を送受信できる。例えば、カメラコントローラー１４０は、信号ピン１７２および接続端子３３０を介して、電源電圧および制御信号を制御基板に送信し、制御基板を介して不揮発性メモリにデータを記憶する。同様に、カメラコントローラー１４０は不揮発性メモリからデータを読み出すことができる。
【００５９】
メモリカード１７０がデータや制御信号を送受信すると、不揮発性メモリや制御素子に電流が流れるので、これらの部品から熱が発生する。
【００６０】
メモリカード１７０は、カメラコントローラー１４０が画像処理により生成した画像データを格納可能である。例えば、メモリカード１７０はホルダー３１０を介して非圧縮のＲＡＷ画像ファイルや圧縮されたＪＰＥＧ画像ファイルをカメラコントローラー１４０から取得し格納できる。また、メモリカード１７０はあらかじめ内部に格納された画像データまたは画像ファイルを、ホルダー３１０を介して出力できる。メモリカード１７０から出力された画像データまたは画像ファイルは、カメラコントローラー１４０で画像処理される。例えば、カメラコントローラー１４０は、メモリカード１７０から取得した画像データまたは画像ファイルに伸張処理を施し、カメラモニタ１２０やＥＶＦ１８０に表示するための表示用画像データを生成する。
【００６１】
メモリカード１７０は、さらに、カメラコントローラー１４０が画像処理により生成した動画データを格納可能である。例えば、メモリカード１７０は、ホルダー３１０を介して動画圧縮規格であるＨ．２６４／ＡＶＣに従って圧縮された動画ファイルをカメラコントローラー１４０から取得し格納できる。また、メモリカード１７０は、あらかじめ内部に格納された動画データまたは動画ファイルを、ホルダー３１０を介して出力できる。メモリカード１７０から出力された動画データまたは動画ファイルは、カメラコントローラー１４０で画像処理される。例えば、カメラコントローラー１４０は、メモリカード１７０から取得した動画データまたは動画ファイルに伸張処理を施し、表示用動画データを生成する。
【００６２】
電源１７５は、デジタルカメラ１で使用するための電力を各部に供給する。電源１７５は、例えば、乾電池であってもよいし、充電池であってもよい。また、電源１７５は、電源コード等を介して外部から電力の供給を受け、デジタルカメラ１に電力を供給するユニットであってもよい。
【００６３】
ボディマウント１５０は、レンズユニット２００を装着可能であり、ボディマウントリング１５１と、電気接点１５３と、を含んでいる。ボディマウント１５０はレンズユニット２００のレンズマウント２５０と機械的及び電気的に接続可能である。
【００６４】
ボディマウントリング１５１は、ケース１０１のケース前面部１０１ｂに設けられたリング状の部材であり、レンズユニット２００に設けられたレンズマウントリング２５１と嵌合することにより、レンズユニット２００を機械的に支持する。レンズマウントリング２５１はいわゆるバヨネット機構によりボディマウントリング１５１に嵌め込まれる。
【００６５】
レンズユニット２００がカメラ本体１００に装着されている状態で、電気接点１５３は、レンズマウント２５０が有する電気接点２５３と接触している。したがって、デジタルカメラ１は、ボディマウント１５０とレンズマウント２５０とを介して、カメラ本体１００とレンズユニット２００との間で、データおよび制御信号のうち少なくとも一方を送受信できる。また、ボディマウント１５０は、電源１７５から受けた電力を、レンズマウント２５０を介してレンズユニット２００全体に供給している。
【００６６】
ボディマウント１５０は、ボディマウント支持部１５２を介してメインフレーム１５４に支持されている。より詳細には、ボディマウント支持部１５２はボディマウントリング１５１と接続されており、ボディマウントリング１５１を支持している。
【００６７】
ボディマウント支持部１５２は、メインフレーム１５４により支持され、ボディマウントリング１５１とシャッターユニット１９０との間に配置されている。
【００６８】
メインフレーム１５４は、例えば金属で形成されており、カメラ本体１００の強度を確保している。メインフレーム１５４は、フレーム底面部１５４ａと、フレーム前面部１５４ｂと、を有しており、カメラ本体１００の内部に配置されている。具体的には、フレーム前面部１５４ｂはカメラ本体１００のケース前面部１０１ｂに沿って配置されており、フレーム底面部１５４ａはカメラ本体１００のケース底面部１０１ａに沿って配置されている。本実施形態では、フレーム前面部１５４ｂはフレーム底面部１５４ａに接続されている。
【００６９】
支持具取付部１５５は、三脚などの支持具を取り付けるための部材であり、フレーム底面部１５４ａに嵌め込まれている。
【００７０】
シャッターユニット１９０は、いわゆるフォーカルプレーンシャッターであり、ＣＭＯＳイメージセンサー１１０への光を遮蔽可能である。シャッターユニット１９０はボディマウント１５０とＣＭＯＳイメージセンサー１１０との間に配置される。シャッターユニット１９０は、後幕（図示せず）と、先幕（図示せず）と、シャッター支持枠（図示せず）と、を有する。シャッター支持枠には、被写体からＣＭＯＳイメージセンサー１１０へ導かれる光の通る開口が設けられている。シャッターユニット１９０は、カメラコントローラー１４０の制御を受けて動作し、後幕および先幕をシャッター支持枠の開口に進退させることにより、ＣＭＯＳイメージセンサー１１０の露光時間を調節する。
【００７１】
レンズユニット２００は、カメラ本体１００に装着可能であり、被写体の光学像を形成する。レンズユニット２００は主に、光学系Ｌと、駆動部２１５と、レンズコントローラー２４０と、レンズマウント２５０と、絞りユニット２６０と、レンズ筒２９０と、を有している。
【００７２】
光学系Ｌは、光学系Ｌの焦点距離を変化させるためのズームレンズ群２１０と、光学系Ｌで形成される被写体像のＣＭＯＳイメージセンサー１１０に対するぶれを抑制するためのＯＩＳ（Optical Image Stabilizer）レンズ群２２０と、光学系ＬがＣＭＯＳイメージセンサー１１０上に形成する被写体像のフォーカス状態を変化させるためのフォーカスレンズ群２３０と、を有している。また、光学系Ｌは、光軸ＡＸを有している。
【００７３】
絞りユニット２６０は、光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）と、を有している。
【００７４】
駆動部２１５は、レンズコントローラー２４０の制御信号に基づいて、光学系Ｌの各レンズ群（ズームレンズ群２１０、ＯＩＳレンズ群２２０、フォーカスレンズ群２３０）を駆動する。また、駆動部２１５は、光学系Ｌの各レンズ群の位置を検出するための検出部を有している。
【００７５】
レンズマウント２５０は、レンズマウントリング２５１および電気接点２５３を有しており、前述のようにボディマウント１５０と機械的および電気的に接続できる。
【００７６】
レンズコントローラー２４０は、カメラコントローラー１４０から送信される制御信号に基づいて、レンズユニット２００全体を制御する。レンズコントローラー２４０は、駆動部２１５に含まれる検出部によって検出された光学系Ｌの各レンズ群の位置情報を受信して、カメラコントローラー１４０に送信する。カメラコントローラー１４０は、受信した位置情報に基づいて駆動部２１５を制御するための制御信号を生成し、レンズコントローラー２４０に送信する。レンズコントローラー２４０は、カメラコントローラー１４０が生成した制御信号に基づいて駆動部２１５を制御する。レンズコントローラー２４０の制御に基づいて、駆動部２１５はズームレンズ群２１０、ＯＩＳレンズ群２２０、フォーカスレンズ群２３０の位置を調節する。
【００７７】
レンズ筒２９０は、主に光学系Ｌと、レンズコントローラー２４０と、レンズマウント２５０と、絞りユニット２６０と、を収容している。
【００７８】
ここで、本実施形態のデジタルカメラ１では、従来の一眼レフレックスカメラとは異なり、ＣＭＯＳイメージセンサー１１０の前側にミラーボックス装置が配置されないため、フランジバックを短くすることが可能となり、カメラ本体１００を薄型化することが可能である。さらに、フランジバックが短いため、光学系Ｌの設計の自由度が増し、レンズユニット２００の小型化が可能である。したがって、ミラーボックス装置を省略することで、デジタルカメラ１の小型化が可能である。
【００７９】
このようにデジタルカメラ１が小型化されているので、発熱部品であるＣＭＯＳイメージセンサー１１０やメイン回路基板１４２などが、メモリカード１７０と従来の一眼レフレックスカメラに比べて近い位置に配置されている。その結果、従来の一眼レフレックスカメラに比べて、メモリカード１７０にＣＭＯＳイメージセンサー１１０等の周辺の電子部品から熱が伝わりやすい。
【００８０】
その一方で、近年では、メモリカード１７０のデータ容量やメモリカード１７０に単位時間当たりに記録されるデータ量の増加に伴い、メモリカード１７０に流れる電流量が増加する傾向にある。メモリカード１７０に流れる電流量が増加し、メモリカード１７０が発熱すると、発生した熱によりメモリカード１７０が損傷するおそれがある。また、損傷に至らない場合であっても、発生した熱によりメモリカード１７０が影響を受けると、動作の信頼性が短期間で低下し、メモリカード１７０の寿命が短くなるおそれがある。さらに、メモリカード１７０の温度が上昇すると、ユーザーがメモリカード１７０に触れた場合に、周辺の温度とメモリカード１７０との温度差を感知し、不快に感じる可能性がある。
【００８１】
＜１．２：放熱構造＞
そこで、デジタルカメラ１では、メモリカード１７０の熱を効率的に放熱する構造が設けられている。以下、メモリカード１７０の放熱構造について図を用いて説明する。なお、以下では、メモリカード１７０が装着されたデジタルカメラ１の状態を装着状態という。また、メモリカード１７０が装着されていないデジタルカメラ１の状態を未装着状態という。
【００８２】
前述のとおり、未装着状態では、スライド蓋３２０は第１状態にある。第１状態では、孔１０２が貫通する方向から見た場合に、蓋本体３２１は開口３１２ａおよび孔１０２と重なっている。ここで、ホルダー３１０のケース側部分３１２はケース背面部１０１ｄに密接しており、蓋本体３２１はケース側部分３１２に密接している。このように、未装着状態では、図８（Ａ）に示すように、ホルダー３１０の内側から蓋本体３２１が開口３１２ａおよび孔１０２を覆っている。
【００８３】
言い換えれば、未装着状態では、蓋本体３２１が孔１０２を内側から塞ぐようにして配置されており、カメラ本体１００の内部が見えないようになっている。つまり、メモリカード１７０がホルダー３１０に挿入されていない状態であっても、ほこりやごみが孔１０２からカメラ本体１００の内部に侵入しにくくなっている。その結果、デジタルカメラ１では、ほこりやごみなどの侵入による誤動作や故障の発生が抑制されている。
【００８４】
ユーザーが矢印ａ１（図１）に沿ってメモリカード１７０を挿入口１０３からデジタルカメラ１に押し込んでいくと、メモリカード１７０の第１端１７１ｃは当接部材３２２に当接する。メモリカード１７０がデジタルカメラ１の内部へ押し込まれると、メモリカード１７０の第１端１７１ｃは、入口部３１０ａに到達する。
【００８５】
さらに、メモリカード１７０は、内面３１４ｂに導かれてホルダー３１０へ挿入される。このとき、当接部材３２２がメモリカード１７０により押されるので、スライド蓋３２０は挿入方向へ移動する。また、蓋本体３２１は溝３１４ａに案内されており、スライド蓋３２０は挿入口１０３から離れる向きへ移動する。
【００８６】
ホルダー３１０にメモリカード１７０が完全に挿入されると、信号ピン１７２が接続端子３３０と接触した状態（つまり、装着状態）となる。装着状態では、ロック機構（図示せず）が作動しており、メモリカード１７０がホルダー３１０に対して固定される。ロック機構としては、例えば、通常の装着状態からメモリカードをさらにホルダーに押し込むと固定が解除される機構が考えられる。
【００８７】
装着状態では、スライド蓋３２０は第２状態にある。図６（Ｂ）に示すように、装着状態では、孔１０２の貫通方向から見た場合に、スライド蓋３２０は開口３１２ａおよび孔１０２のいずれとも重なっていない。このように、装着状態では、収容空間Ｓは開口３１２ａおよび孔１０２を介して外部と連通している。ここで、外部とはケース１０１の外側の空間を意味しており、カメラモニタ１２０とケース１０１との間の空間（つまり、隙間１０５）も外部に含まれる。
【００８８】
その一方で、装着状態では、孔１０２の貫通方向から見た場合に、メモリカード１７０は開口３１２ａおよび孔１０２と重なっている。言い換えれば、装着状態では、図８（Ｂ）に示すように、メモリカード１７０の第２外面１７１ｂが開口３１２ａおよび孔１０２を通じてケース１０１の外側から見える位置に配置されている。したがって、デジタルカメラ１の外部の空気は、開口３１２ａおよび孔１０２に流れ込むことにより、メモリカード１７０の第２外面１７１ｂと接触できる。
【００８９】
このように、装着状態では、メモリカード１７０は、ケース１０１の外部から見える状態で、かつ、デジタルカメラ１の内部が見えないように孔１０２を塞いでいる状態で、配置される。また、メモリカード１７０は板バネ３１５によりホルダー３１０のケース側部分３１２に押し付けられているので、メモリカード１７０とケース側部分３１２との間には隙間が生じにくくなっている。したがって、デジタルカメラ１の構造は、メモリカード１７０がデジタルカメラ１に装着されているかどうかにかかわらず、デジタルカメラ１の内部へのほこりやごみの侵入が生じにくい構造となっている。
【００９０】
ここで、ユーザーが電子機器を使用する時の適正な温度は、一般に、外気温度を基準にして決定される。つまり、通常の場合、電子機器の内部で熱を発している電子部品の温度よりも、外気温度のほうが低い。したがって、電子機器に使用される電子部品が発熱した場合には、部品の温度が外気温度に近づくように放熱を行なえばよい。また、外気は熱量量が大きいので、熱を発している電子部品を外気に直接接触させることにより、高い放熱効果が得られる。
【００９１】
このデジタルカメラ１では、メモリカード１７０を装着することによってスライド蓋３２０が移動し、開口３１２ａおよび孔１０２を通じてメモリカード１７０が外気にさらされるので、メモリカード１７０の放熱が促進される。その結果、効率的にメモリカード１７０の温度上昇を抑制することができる。
【００９２】
また、このデジタルカメラ１では、装着状態にある場合には、メモリカード１７０の第２外面１７１ｂがホルダー３１０の内側から孔１０２および開口３１２ａを覆っている。つまり、放熱面積を大きく取れるように、メモリカード１７０の平面部分が孔１０２と向かい合っている。このように、熱伝達能力が比較的大きいメモリカード１７０の側面（つまり、第２外面１７１ｂ）を介して熱を放出することができるので、高い放熱効果が得られる。
【００９３】
なお、前述の通り、カメラモニタ１２０をケース背面部１０１ｄとの間には空気が流れることができる隙間１０５が確保されている。したがって、開口３１２ａおよび孔１０２に入り込んだ空気は、メモリカード１７０から熱を受け取り、さらに隙間１０５を通って移動できる。このように、カメラモニタ１２０が閉じられている場合であっても、隙間１０５により空気が対流できるので、メモリカード１７０の放熱が促進されている。
【００９４】
メモリカード１７０をホルダー３１０から取り外すと、スライド蓋３２０は挿入口１０３側へ移動し、第１状態に戻る。スライド蓋３２０には戻しバネ３４０により挿入口１０３側へ引き戻す力が作用しているので、メモリカード１７０が挿入口１０３側に移動するにしたがって、メモリカード１７０の第１端１７１ｃと当接部材３２２とが当接した状態を保ちつつ、スライド蓋３２０は挿入口１０３側へ移動する。
【００９５】
＜１．３：効果＞
ここで、第１実施形態に係るデジタルカメラ１の効果についてまとめる。
【００９６】
（１）
このデジタルカメラ１では、収容空間Ｓを外部と連通可能な複数の孔１０２が収容ユニット３０（より詳細には、ケース１０１）に設けられているので、収容空間Ｓに収容されたメモリカード１７０から発生した熱が孔１０２を通じて効率良く外部へ放熱され、熱が収容空間Ｓに滞留しにくくなる。したがって、このデジタルカメラ１では、メモリカード１７０の放熱効率を高めることができる。
【００９７】
（２）
このデジタルカメラ１では、スライド蓋３２０が第１状態および第２状態をとり得るようにホルダー３１０により支持されているので、メモリカード１７０をホルダー３１０に収容した状態では、孔１０２を通じて流れ込む外気がメモリカード１７０に接触できる。その結果、メモリカード１７０で発生した熱が外気に伝わりやすくなり、メモリカード１７０の放熱効率をさらに高めることができる。
【００９８】
また、当接部材３２２は、メモリカード１７０と当接可能に配置され、メモリカード１７０のケース１０１への挿入に伴って移動する。さらに、スライド蓋３２０は当接部材３２２と連動している。したがって、メモリカード１７０が挿入されると、メモリカード１７０が当接部材３２２と当接し、メモリカード１７０によりスライド蓋３２０が挿入方向に押される。この結果、メモリカード１７０の挿入動作と連動してスライド蓋３２０の位置を第１状態から第２状態に切り替えることができる。したがって、メモリカード１７０の抜き差しだけでスライド蓋３２０の開閉を操作することができる。
【００９９】
（３）
このデジタルカメラ１では、スライド蓋３２０は、ホルダー３１０に移動可能に支持されており、孔１０２を覆う位置へ移動可能に配置されている。したがって、メモリカード１７０がデジタルカメラ１に装着されていない場合にスライド蓋３２０により孔１０２を覆うことで、孔１０２を塞ぐことができる。このように、デジタルカメラ１の内部へ孔１０２を介して異物が侵入することを防止できる。
【０１００】
また、戻しバネ３４０により第１状態でスライド蓋３２０が保持されているので、未装着状態において自動的に孔１０２を覆うことができ、孔１０２からの異物の侵入を確実に防止できる。
【０１０１】
（４）
このデジタルカメラ１では、メモリカード１７０が収容空間Ｓに収容されている場合には、メモリカード１７０によりスライド蓋３２０が第２状態に保持されており、かつ、メモリカード１７０が孔１０２を覆っている。したがって、孔１０２を通って流れ込む外気とメモリカード１７０との接触面積を広く確保することができ、さらにメモリカード１７０と接触した外気が孔１０２を通って外部へ戻りやすくなる。その結果、メモリカード１７０の放熱効率が高まりやすくなる。
〔第２実施形態〕
前述の第１実施形態では、蓋本体３２１はホルダー３１０の内部を移動していたが、蓋本体３２１がホルダー３１０の外部を移動するようにしてもよい。
【０１０２】
以下では、第２実施形態に係るデジタルカメラ２（電子機器の一例）について、図９（Ａ）〜図１１（Ｂ）を用いて説明する。なお、第１実施形態と異なる部分についてのみ説明する。また、第１実施形態と実質的に同様の機能を有する構成については、同じ符号を付し、その詳細な説明を省略する。
【０１０３】
デジタルカメラ２の構成は、装着部３００の代わりに装着部４００を有している点を除いて、第１実施形態に係るデジタルカメラ１の構成と実質的に同じである。装着部４００は、ホルダー４１０と、スライド蓋４２０と、当接部材４２２と、を有している。ホルダー４１０およびケース１０１により、収容ユニット４０が形成されている。
【０１０４】
ホルダー４１０は、ケース側部分４１２を有している。図９（Ａ）に示すように、ケース側部分４１２は、第１開口４１２ａと、２つの第２開口４１２ｂと、を有している。ここで、孔１０２の貫通方向から見た場合に、孔１０２は、第１開口４１２ａもしくは第２開口４１２ｂと重なっている。第１開口４１２ａは２つの第２開口４１２ｂの間に形成されている。
【０１０５】
スライド蓋４２０は、蓋本体４２１を有している。蓋本体４２１は、ホルダー４１０のケース側部分４１２とケース背面部１０１ｄとの間に配置されている。つまり、蓋本体４２１は、ホルダー４１０の外部に配置されている。
【０１０６】
当接部材４２２は２つの突起を有しており、それらの突起は、蓋本体４２１の挿入口１０３側に固定され、蓋本体４２１からメイン回路基板１４２側へ突出している。当接部材４２２が蓋本体４２１に固定されているので、スライド蓋４２０は当接部材４２２と一体移動可能である。このように、「一体移動可能」とは、当接部材４２２がスライド蓋４２０と一体形成されている場合だけではなく、当接部材４２２がスライド蓋４２０と別体の場合を含む概念である。
【０１０７】
スライド蓋４２０がホルダー４１０の外部に配置されるので、スライド蓋４２０をホルダー４１０に貫通させる必要はない。したがって、バネ連結部４１３には、デジタルカメラ１に係るバネ連結部３１３とは異なり、スライド蓋を挿入するための窓は形成されていない。また、ガイド部４１４には、内面４１４ｂが形成されている。デジタルカメラ１とは異なり、ガイド部４１４はスライド蓋４２０を挿入方向に案内する必要がないので、ガイド部４１４にはスライド蓋を案内するための溝は形成されていない。
【０１０８】
図１１（Ａ）に示すように、当接部材４２２は、ホルダー４１０の第２開口４１２ｂに、ケース背面部１０１ｄ側から挿入されている。つまり、挿入方向から見た場合に、当接部材４２２は、ケース側部分４１２からホルダー４１０の内部に突出している。
【０１０９】
図９（Ａ）および図１０（Ａ）は、メモリカード１７０がホルダー４１０に挿入されていない場合のスライド蓋４２０の状態（第１状態の一例）を示している。図９（Ｂ）および図１０（Ｂ）は、メモリカード１７０がホルダー４１０に挿入された場合のスライド蓋４２０の状態（第２状態の一例）を示している。なお、図９（Ａ）および図９（Ｂ）では、孔１０２が一点鎖線で示されている。
【０１１０】
ユーザーがメモリカード１７０を挿入口１０３からデジタルカメラ２に挿入すると、メモリカード１７０は内面４１４ｂに導かれてホルダー４１０へ挿入される。メモリカード１７０がホルダー４１０にさらに押し込まれると、第１端１７１ｃが当接部材４２２と当接し、当接部材４２２は挿入方向へ押される。スライド蓋４２０は、当接部材４２２を介してメモリカード１７０に押されることにより、第２開口４１２ｂに案内されながら挿入方向へ移動する。その結果、スライド蓋４２０が挿入口１０３から離れる向き（Ｙ軸負方向）に移動する。
【０１１１】
メモリカード１７０がホルダー４１０に完全に挿入されると、スライド蓋４２０は第２状態となる。このとき、図１１（Ｂ）に示すように、メモリカード１７０の第２外面１７１ｂが、第１開口４１２ａ（あるいは、第２開口４１２ｂ）および孔１０２を通じてケース１０１の外側から見える位置に配置されている。したがって、外気は、第１開口４１２ａ（あるいは第２開口４１２ｂ）および孔１０２に流れ込むことにより、メモリカード１７０の第２外面１７１ｂと接触できる。
【０１１２】
このように、デジタルカメラ２では、スライド蓋４２０が第２状態にある場合には、第２外面１７１ｂを介して外気に放熱を行なうことができるので、高い放熱効果が得られる。
【０１１３】
さらに、デジタルカメラ２によれば、孔１０２の貫通方向から見た場合に、第１状態のスライド蓋４２０は、第１開口４１２ａおよび第２開口４１２ｂと重なっており、かつ、孔１０２と重なっている。したがって、メモリカード１７０がホルダー４１０に挿入されていない状態であっても、デジタルカメラ２の内部へのほこりやごみなどの異物の侵入はスライド蓋４２０により抑制されている。その結果、デジタルカメラ２の誤動作や故障が低減されている。
〔その他の実施形態〕
本発明の実施形態は、前述の実施形態に限定されず、本発明の趣旨を逸脱しない範囲で種々の変形および修正が可能である。
【０１１４】
（Ａ）
前述の実施形態では、デジタルカメラ１を例にして電子機器について説明したが、ここに示された技術を適用できる電子機器はデジタルカメラに限られない。ここに開示された技術は、不揮発性記録装置を装着可能な電子機器に適用可能であり、例えば、デジタルビデオカメラやノートパソコン等に適用可能である。また、ここに示された技術が着脱可能な不揮発性記録装置へ情報を記録する方式を有する撮像装置全般に適用可能であることはいうまでも無い。ここに示された技術は、例えば、交換レンズ式のデジタルビデオカメラや、レンズ鏡筒一体型のデジタルカメラならびにビデオカメラに適用可能である。
【０１１５】
（Ｂ）
前述の実施形態では、メモリカード１７０を例に不揮発性記録装置について説明したが、不揮発性記録装置は、不揮発性メモリを有する記録媒体であればよく、電子機器への装着が可能な記録装置の全般を含む概念である。例えば、不揮発性記録媒体としては、ＳＤカードの他にも、スマートメディア、メモリスティック、コンパクトフラッシュ（登録商標）、ｘＤピクチャーカードなどが考えられる。
【０１１６】
（Ｃ）
前述の実施形態では、スライド蓋３２０（もしくは、スライド蓋４２０）を挿入口１０３側へ引き寄せる弾性部材として戻しバネ３４０が用いられていたが、これ以外の部材を用いてスライド蓋３２０（もしくは、スライド蓋４２０）が挿入口１０３に近付くように弾性力を付与してもよい。例えば、戻しバネ３４０の代わりに、圧縮バネや板バネなどが用いられてもよい。また、弾性部材がケース１０１に固定されていてもよく、弾性部材によりケース１０１とスライド蓋３２０とが弾性的に連結されていてもよい。
【０１１７】
また、スライド蓋３２０はホルダー３１０により移動可能に支持されているが、スライド蓋３２０がホルダー３１０およびケース１０１の少なくとも一方により移動可能に支持されていればよい。例えば、スライド蓋３２０がケース１０１により移動可能に支持されていてもよく、スライド蓋３２０がホルダー３１０およびケース１０１により移動可能に支持されていてもよい。
【０１１８】
（Ｄ）
前述の実施形態では、メモリカード１７０を押し付けるための板バネ３１５が設けられていたが、板バネ３１５は省略されても構わない。板バネ３１５が省略されていても、メモリカード１７０をホルダー３１０（もしくは、ホルダー４１０）に挿入することにより孔１０２の近傍にメモリカード１７０を配置すれば、メモリカード１７０の放熱を促進することが可能である。
【０１１９】
（Ｅ）
前述の実施形態では、装着状態にある場合に孔１０２が完全に開放されていたが、孔１０２の一部にスライド蓋３２０（もしくは、スライド蓋４２０）が重なっていても構わない。装着状態において孔１０２の少なくとも一部が開放されていれば、メモリカード１７０は外気に接触できるので、放熱効果が得られる。ここで、開放されているとは、孔１０２がスライド蓋３２０（もしくは、スライド蓋４２０）により覆われていない状態を意味している。
【０１２０】
（Ｆ）
前述の実施形態では、ホルダー３１０はケース１０１とは別体であったが、ホルダー３１０の全部あるいは一部がケース１０１と一体形成されていてもよい。
【０１２１】
また、前述の第１実施形態では、ケース側部分３１２が設けられていたが、この部分を省略しても構わない。例えば、ケース側部分３１２を省略し、ケース背面部１０１ｄの内側にホルダー３１０を直接形成してもよい。つまり、基板側部分３１１と、バネ連結部３１３と、ガイド部３１４と、ケース背面部１０１ｄと、により収容空間Ｓが形成されていても構わない。
【０１２２】
（Ｇ）
前述の実施形態では、孔１０２は複数のスリットであったが、孔１０２はこれ以外の形状であってもよい。また、孔１０２の個数は、前述の実施形態での個数に限定されない。孔１０２を通じて外気がケース１０１の内側へ流れ込むことが可能であればよいので、例えば、孔１０２として円形や多角形の単数あるいは多数の孔が設けられていても構わない。
【０１２３】
また、前述の実施形態では、孔１０２がケース背面部１０１ｄに設けられていたが、孔１０２はケース１０１のこれ以外の位置に設けられていても構わない。つまり、放熱効果を得るためには孔１０２は収容空間Ｓと外部とを連通可能な位置に設けられていればよいので、装着部３００（もしくは、装着部４００）の配置される位置に応じて、孔１０２の形成される位置を変えても良い。例えば、孔１０２がケース底面部１０１ａや、ケース側面部１０１ｃに設けられていても良い。
【０１２４】
（Ｈ）
前述の実施形態では、スライド蓋３２０および当接部材３２２は挿入方向にのみ移動していたが、これらの部材は挿入方向への移動以外の動きが可能となるように配置されていてもよい。
【０１２５】
例えば、スライド蓋３２０が回転可能にホルダー３１０またはケース１０１に連結されていてもよい。具体的には、回転の中心となる軸部材をＸ軸方向に平行にホルダー１０１に固定し、スライド蓋３２０を軸部材の周りに回転できるように配置することができる。この場合には、スライド蓋３２０および当接部材３２２は、Ｙ軸方向（挿入方向）およびＺ軸方向に移動することができる。具体的には、孔１０２を覆う位置（つまり、第１状態の位置）に配置されたスライド蓋３２０は、回転運動により孔１０２を開放する位置（つまり、第２状態の位置）に移動する。より詳細には、ユーザーが挿入口１０３からメモリカード１７０をケース１０１に挿入する場合に、メモリカード１７０に押された当接部材３２２は、メモリカード１７０の挿入に伴って軸部材の周りに回転する。さらに、当接部材３２２と一体移動可能に設けられたスライド蓋３２０は、当接部材３２２と連動して回転する。
【０１２６】
また、前述の実施形態では当接部材３２２はスライド蓋３２０と一体形成されていた。あるいは、当接部材４２２はスライド蓋４２０に固定されていた。その結果、スライド蓋３２０は当接部材３２２と連動していた。同様に、スライド蓋４２０は当接部材４２２と連動していた。ここで、部材を連動させるための連結手段は一体成形や固定に限られず、例えばスライド蓋３２０を当接部材３２２と連動させるために、駆動力を伝達する部品や機構を介して、スライド蓋３２０が当接部材３２２に連結されていてもよい。
【０１２７】
一例として、挿入方向への当接部材３２２の移動量よりも挿入方向へのスライド蓋３２０の移動量を小さくするために、移動量を変換する機構を介してスライド蓋３２０が当接部材３２２に連結されていてもよい。また、当接部材３２２の移動方向と異なる方向へスライド蓋３２０を移動させるために、移動方向を変換する機構を介してスライド蓋３２０が当接部材３２２に連結されていてもよい。
【産業上の利用可能性】
【０１２８】
ここに開示された技術を用いれば、不揮発性記録装置の放熱効率を高めることができるので、この技術は不揮発性記録装置を装着可能な電子機器に利用でき有用である。
【符号の説明】
【０１２９】
１    デジタルカメラ（電子機器の一例）
３０    収容ユニット
１００    カメラ本体
１０１    ケース
１０１ｄ    ケース背面部
１０２    孔
１０３    挿入口
１０４    カバー
１０５    隙間
１１０    ＣＭＯＳイメージセンサー
１１３    ＣＭＯＳ回路基板
１２０    カメラモニタ
１３１    レリーズ釦
１４０    カメラコントローラー
１４２    メイン回路基板（基板の一例）
１７０    メモリカード
１７１    外装部
１７１ａ    第１外面
１７１ｂ    第２外面
１７１ｃ    第１端
１７２    信号ピン
２００    レンズユニット
３００    装着部
３１０    ホルダー
３１０ａ    入口部
３１１    基板側部分
３１１ａ    通し穴
３１２    ケース側部分
３１２ａ    開口
３１３    バネ連結部
３１３ａ  窓
３１４    ガイド部
３１４ａ    溝
３１４ｂ    内面
３１５    板バネ
３１６    バネ留め具
３２０    スライド蓋（蓋部材の一例）
３２１    蓋本体
３２２    当接部材
３２３    バネ留め具
３３０    接続端子
３４０    戻しバネ（弾性部材の一例）
２    デジタルカメラ（第２実施形態）
４００    装着部
４１０    ホルダー
４１２    ケース側部分
４１２ａ    第１開口
４１２ｂ    第２開口
４１４    ガイド部
４１４ｂ    内面
４２０    スライド蓋（蓋部材の一例）
４２１    蓋本体
４２２    当接部材
Ｓ    収容空間
【図１】
2011257697.tif 000003
【図２】
2011257697.tif 000004
【図３】
2011257697.tif 000005
【図４】
2011257697.tif 000006
【図５】
2011257697.tif 000007
【図６】
2011257697.tif 000008
【図７】
2011257697.tif 000009
【図８】
2011257697.tif 000010
【図９】
2011257697.tif 000011
【図１０】
2011257697.tif 000012
【図１１】
2011257697.tif 000013